(57)【要約】【課題】持ち運びが容易な携帯型で、しかも複数のチェック項目をプレイヤー自らが容易に触感や視覚でチェックできる、ゴルフスウェーチェッカーの提供。【解決手段】伸縮可能な支柱部３と、支柱部の一端側に設けられ、拡開して前記支柱部を立たせた状態で支持する脚部２３と、支柱部の他端側に設けられたチェック用定規部５１と備え、チェック用定規部は縮閉・拡開可能で、拡開して横方向に長さ寸法を有した定規６９を形成すると共に、一軸状に縮閉して支柱部側に折り畳むことが可能である。この定規６９で腰や膝をガイドしてスウェーをチェックしたりできる。また、チェック用定規部５１を閉じて一軸状にし、さらに棒などで延長して、アドレスのラインなどをチェックするのに利用できる。【選択図】  図１
2014236940.tif 000002
【特許請求の範囲】
【請求項１】
伸縮可能な支柱部と、前記支柱部の下側に設けられ、拡開して前記支柱部を立たせた状態で支持する脚部と、前記支柱部の上側に設けられたチェック用定規部と備え、前記チェック用定規部は縮閉・拡開可能で、拡開して横方向に長さ寸法を有した定規を形成すると共に、一軸状に縮閉して前記支柱部側に折り畳むことが可能であることを特徴とするゴルフスウェーチェッカー。
【請求項２】
請求項１に記載したゴルフスウェーチェッカーにおいて、
チェック用定規部は、支柱部に一端が回動可能に結合された軸部材と、前記軸部材に対して一端側が回動自在に結合され、他端である遊端側にピンが取り付けられたピン側リンク部材と、前記軸部材に対して一端側が回動自在に結合され、他端側に前記ピンが摺動可能に遊嵌する長孔が形成された孔側リンク部材とからなり、前記ピンの摺動により、前記２つのリンク部材が前記軸部材側から前記ピンを支点として拡開・縮閉するリンク機構を二組備え、前記二組のリンク機構の拡開により一定の寸法を持った定規が形成されることを特徴とするゴルフスウェーチェッカー。
【請求項３】
請求項２に記載したゴルフスウェーチェッカーにおいて、
チェック用定規部は、二組のリンク機構の拡開により、二つの長孔側リンク部材が逆「ハ」形を描いて開き、その遊端寄りでは、直状に伸びた二つのピン側リンク部材が架け渡された状態になることを特徴とするゴルフスウェーチェッカー。
【請求項４】
請求項２または３に記載したゴルフスウェーチェッカーにおいて、
さらに、一端に軟質部が設けられた延長軸部材が備えられ、チェック用定規部の軸部の遊端側に前記延長軸部材が着脱自在に取り付けられて、前記軟質部をプレイヤーの接触部位として利用することを特徴とするゴルフスウェーチェッカー。
【請求項５】
請求項４に記載したゴルフスウェーチェッカーにおいて、
軟質部はスポンジボールであることを特徴とするゴルフスウェーチェッカー。
【発明の詳細な説明】
【技術分野】
【０００１】
本発明はゴルフのスウェーチェッカーに係り、特にプレイヤーのスイング姿勢を複数の箇所からチェックできるゴルフ練習機に関するものである。
【背景技術】
【０００２】
ゴルフレッスン中に口頭でゴルフスイングの悪い箇所を指摘されただけでは、修正するのは容易ではない。特に、上級者が崩れたスイングを修正したいような場合はともかく、初心者から平均レベルのプレイヤーのように、理想的なゴルフスイングを全くまたは稀にしか体感できていないような者にとっては、口頭での指摘だけではかなり難しい。
【先行技術文献】
【特許文献】
【０００３】
【特許文献１】実用新案登録第３１１５９７５号公報
【発明の概要】
【発明が解決しようとする課題】
【０００４】
そこで、特許文献１に記載のようなゴルフ練習機が提案されている。このゴルフ練習機は、メインバーをシャフトプレーンに合わせて、プレイヤーの後方に設置しておくので、プレイヤーは自らのスイングの軌道とそのメインバーの同異を視覚的にチェックできるようになっている。
而して、上記ゴルフ練習機はシャフトプレーンだけに焦点が当てられているが、良いスイングになっているか否かについては、腰や膝のスウェーや頭の振れ等、その他にもチェックすべき項目はあり、これら複数の項目をゴルフ場、練習場、自宅等、場所を問わず、手軽に触感や視覚でチェックできる器具があれば、非常に有用である。
【０００５】
本発明は上記従来の問題点に着目して為されたものであり、持ち運びが容易な携帯型で、しかも複数のチェック項目をプレイヤー自らが容易に触感や視覚でチェックできる、新規且つ有用なゴルフスウェーチェッカーの提供を、その目的とする。
【課題を解決するための手段】
【０００６】
本発明は上記課題を解決するためになされたものであり、請求項１の発明は、伸縮可能な支柱部と、前記支柱部の下側に設けられ、拡開して前記支柱部を立たせた状態で支持する脚部と、前記支柱部の上側に設けられたチェック用定規部と備え、前記チェック用定規部は縮閉・拡開可能で、拡開して横方向に長さ寸法を有した定規を形成すると共に、一軸状に縮閉して前記支柱部側に折り畳むことが可能であることを特徴とするゴルフスウェーチェッカーである。
【０００７】
請求項２の発明は、請求項１に記載したゴルフスウェーチェッカーにおいて、チェック用定規部は、支柱部に一端が回動可能に結合された軸部材と、前記軸部材に対して一端側が回動自在に結合され、他端である遊端側にピンが取り付けられたピン側リンク部材と、前記軸部材に対して一端側が回動自在に結合され、他端側に前記ピンが摺動可能に遊嵌する長孔が形成された孔側リンク部材とからなり、前記ピンの摺動により、前記２つのリンク部材が前記軸部材側から前記ピンを支点として拡開・縮閉するリンク機構を二組備え、前記二組のリンク機構の拡開により一定の寸法を持った定規が形成されることを特徴とするゴルフスウェーチェッカーである。
【０００８】
請求項３の発明は、請求項２に記載したゴルフスウェーチェッカーにおいて、チェック用定規部は、二組のリンク機構の拡開により、二つの長孔側リンク部材が逆「ハ」形を描いて開き、その遊端寄りでは、直状に伸びた二つのピン側リンク部材が架け渡された状態になることを特徴とするゴルフスウェーチェッカーである。
【０００９】
請求項４の発明は、請求項２または３に記載したゴルフスウェーチェッカーにおいて、さらに、一端に軟質部が設けられた延長軸部材が備えられ、チェック用定規部の軸部の遊端側に前記延長軸部材が着脱自在に取り付けられて、前記軟質部をプレイヤーの接触部位として利用することを特徴とするゴルフスウェーチェッカーである。
【００１０】
請求項５の発明は、請求項４に記載したゴルフスウェーチェッカーにおいて、軟質部はスポンジボールであることを特徴とするゴルフスウェーチェッカーである。
【発明の効果】
【００１１】
本発明のゴルフスウェーチェッカーによれば、持ち運びが容易な携帯型で、しかも複数のチェック項目をプレイヤー自らが触感や視覚を利用して容易にチェックでき、修正すべき箇所が理解し易くなっている。
【図面の簡単な説明】
【００１２】
【図１】本発明の実施の形態に係るゴルフスウェーチェッカーの使用状態を示す斜視図である。
【図２】図１のゴルフスウェーチェッカーのチェック用定規部の取付け部の分解斜視図である。
【図３】図３の組立状態の斜視図である。
【図４】図１のチェック用定規部の裏側から見た平面図である。
【図５】図５のチェック用定規部の閉じた状態の平面図である。
【図６】図１のゴルフスウェーチェッカーの付属品である延長軸部材の平面図である。
【図７】図６の延長軸部材を図１のゴルフスウェーチェッカーに取り付けた状態の斜視図である。
【図８】図８の全体を携帯可能なコンパクトした状態で、袋体に収納した状態の斜視図である。
【図９】図１のゴルフスウェーチェッカー１を使用したチェック例（腰スウェー）である。
【図１０】別のチェック例（膝スウェー）である。
【図１１】別のチェック例（膝スウェー）である。
【図１２】別のチェック例（頭の振れ）である。
【図１３】別のチェック例（スイングプレーン）である。
【図１４】別のチェック例（アドレスのライン）である。
【図１５】別のチェック例（ダウンスイングでの手元の浮き上がり）である。
【図１６】別のチェック例（パッティングでの体の揺れ）である。
【図１７】別のチェック例（スイング全体の撮影）である。
【発明を実施するための形態】
【００１３】
本発明の実施の形態に係るゴルフスウェーチェッカー１を、図面にしたがって説明する。
図１に示すように、このゴルフスウェーチェッカー１には、支柱部３が備えられている。この支柱部３は複数の径の異なるパイプ５、７、９が入れ子式に嵌入されて伸縮自在になっている。図１中の拡大図で詳細に示すように、大径パイプ５の上端部には管状の締付け部１１が連結されており、中径パイプ７を抱き込んでいる。締付け部１１の内側には押圧部１３が設けられており、この押圧部１３はネジ孔（図示省略）に螺合したボルト１５の先端部が固着している。従って、ボルト１５を螺進させると、中径パイプ７の外周面が押圧されて、大径パイプ５と中径パイプ７が軸方向に移動不能に固定される。中径パイプ７と小径パイプ９も同様にして固定される。
この構成により、支柱部３の長さは調整可能となっている。
【００１４】
支柱部３を立たせたときに下側にくる大径パイプ５に脚部が取り付けられている。大径パイプ５の中間部に摺動式枢着部１７が摺動可能に外嵌されて取り付けられている。この摺動式枢着部１７の固定構成は、上記した締付け部１１と同様になっており、ネジ孔（図示省略）に締付けボルト１９を締め込むと、その内側にある押圧部（図示省略）が大径パイプ５の外周面を押圧して摺動による上下動が不能となる。大径パイプ５の下端部には上下動不能の固定式枢着部２１が外嵌されて取り付けられている。
【００１５】
図１に示すように、脚部は３本の棹状支持脚２３、２３、２３によって構成されており、各支持脚２３の一端側が上記した摺動式枢着部１７に回動可能に取り付けられている。支持脚２３、２３、２３は等間隔で取り付けられており、回動させてそれぞれの他端部を大径パイプ５から離すと、放射状に広がるようになっている。
符号２５は受け側リンク部材を示し、この受け側リンク部材２５の一端側が上記した固定式枢着部２１に回動可能に取り付けられている。３つの受け側リンク部材２５、２５、２５が等間隔で取り付けられており、回動させてそれぞれの他端部を大径パイプ５から離すと、放射状に広がるようになっている。
各受け側リンク部材２５は薄板で帯状に構成されており、その他端側の板面が各支持脚２３の中間部分に重ね合わされ、回動可能に取り付けられている。
【００１６】
この構成により、締付けボルト１９を緩めて、摺動式枢着部１７を摺動させて固定式枢着部２１に近づけると、支持脚２３、２３、２３が放射状に等しく拡開し、締付けボルト１９を締めると、その状態で安定した脚部が出来上がる。
また、摺動式枢着部１７を摺動させて固定式枢着部２１から遠ざけると、支持脚２３、２３、２３とそれに各別に対応する受け側リンク部材２５、２５、２５が直状に縮閉し、支柱部３側に折り畳まれる。
【００１７】
支柱部３を立たせたときに上側にくる小径パイプ９の上端側にはホルダー部２７が取り付けられており、このホルダー部２７は横方向に貫通して貫通穴２９が形成されている。この貫通穴２９の穴縁の周囲の環状面は両側面とも外縁よりも一段下がった凹面となっており、一方の凹面は歯面３１となっている。符号３３は支持部を示し、この支持部３３は薄板を「コ」の字形に折り曲げた形状になっている。支持部３３の対向面にはそれぞれ挿通穴３５、３７が形成されている。符号３９は調整ボルトを示す。この調整ボルト３９の頭部は段付きとなっており、ネジ軸部４１側の面が歯面４３となっている。符号４５は調整ナットを示す。この調整ナット４５は袋状になっており、頭部側外周面が凹凸部４７になっている。符号４９は座金を示す。
【００１８】
図３に示すように、ホルダー部２７を支持部３３の対向面が挟み込んでおり、調整ボルト３９が支持部３３の挿通穴３５側からネジ軸部４１に差し込まれ、ホルダー部２７の貫通穴２９を貫通し、さらに支持部３３の挿通穴３７から抜け出している。抜け出した側では、座金４９を貫通した上で、調整ナット４５に螺合している。ホルダー部２７の歯面３１が調整ボルト３９の歯面４３に相対回転可能に噛合しているときは、支持部３３に取り付けられたチェック用定規部５１（後述）が支柱部３に対して仮ロックされた状態であり、チェック用定規部５１を回動する方向に力を加えると、噛合う歯がずれる。ゴルフスウェーチェッカー１では、これを利用して、支柱部３に対するチェック用定規部５１の取り付け角度を微妙に調整できるようになっている。
調整ナット４５の凹凸部４７を手で掴んで回して螺進させると、本ロックされた状態となり、支柱部３に対するチェック用定規部５１の取り付け角度が固定されるが、逆方向に回して螺退させると、再び仮ロックされた状態となる。
【００１９】
図４に示すように、チェック用定規部５１の一軸状の軸部材５３は帯状の薄板で構成されており、その長手方向一端側の板面が支持部３３の中間面に上側から重ねられて固定され、他端側は遊端となっている。軸部材５３は支柱部３の小径パイプ９の軸方向延長上にある。軸部材５３は、上記した固定により、上記したホルダー部２７等を介して支柱部３に回動可能に結合しており、使用中に、支柱部３を立たせたときにチェック用定規部５１を横方向にセットしたり、使用前後の携帯中に支柱部３側折り畳んだりすることができる。
【００２０】
符号５５はピン側リンク部材を示し、このピン側リンク部材５５は上記した軸部材５３よりも幅狭の帯状の薄板で構成されている。ピン側リンク部材５５の一端側は軸部材５３の遊端側で板面が重ねられてピン結合されており、ピン側リンク部材５５は軸部材５３に対して回動可能になっている。ピン側リンク部材５５の他端側には摺動ピン５７が取り付けられている。この摺動ピン５７は軸部と頭部を備えており、軸部材５３への重ね面と反対側となる板面から立ち上がっている。
符号５９は長孔側リンク部材を示し、この長孔側リンク部材５９は上記したピン側リンク部材５５と同様な帯板形状を成しているが、より長くなっている。長孔側リンク部材５９の一端側は、軸部材５３の固定端で板面が重ねられてピン結合されており、長孔側リンク部材５９は軸部材５３に対して回動可能になっている。なお、軸部材５３には、ピン側リンク部材５５と長孔側リンク部材５９は同じ板面側で重ねられている。
【００２１】
長孔側リンク部材５９の他端側には長孔６１が形成されており、この長孔６１は長手方向に細長く延びている。長孔側リンク部材５９は二か所の屈曲部６３、６３で屈曲して、その間の部分はその余の部分より浮き上がっており、軸部材５３との間に隙間ができて軸部材５３に対して回動し易く工夫されている。
ピン側リンク部材５５の摺動ピン５７の軸部が、長孔側リンク部材５９の長孔６１に遊嵌されて摺動可能に結合されている。
この結合により連係関係となり、摺動ピン５７が摺動すると、長孔側リンク部材５９とピン側リンク部材５５とが摺動ピン５７を支点として拡開・縮閉すると共に、縮閉時の３つの部材が長手方向側に重ね合わされた状態から、拡開により短手方向外方に長孔側リンク部材５９とピン側リンク部材５５とが三角状に張り出して、摺動ピン５７の頂角が鋭角化する。長孔６１の縁側に摺動ピン５７がくると拡開限界となり、そのときにはピン側リンク部材５５が略直角になる。
【００２２】
ピン側リンク部材５５と長孔側リンク部材５９を一組として構成されたリンク機構は、二つ、軸部材５３の幅方向両端側に対称にそれぞれ設けられているので、上記した拡開動作により、拡開限界では、それぞれの組のピン側リンク部材５５、５５が軸部材５３を挟んで直状に連なり、その直状部分を架け渡し部分として、それぞれの組の長孔側リンク部材５９が逆「ハ」形の扇型に開いた状態となる。この状態では、それぞれの長孔側リンク部材５９の遊端側は、ピン側リンク部材５５の結合部分よりも、長孔６１分だけ突出している。この状態で、一定の直線状の長さ寸法を持つ直線部６５と、その両端側の傾斜部６７、６７とでなる三日月形に似た形状の定規６９が作られる。
チェック用定規部５１は、上記した構成を有しており、図５に示すように、縮閉して一軸状に閉じた状態と、拡開して定規６９が作られる状態との間に変更できる。
【００２３】
図６において符号７１は延長軸部材を示す。この延長軸部材７１では長い２本の細棒７３、７３のそれぞれの軸方向一端側に軟質パイプ７５がその両端側からそれぞれ外嵌されて一体になっており、軟質パイプ７５だけの部分で折り曲げて全体を二つ折りできるようになっている。各細棒７３の軸方向他端側にはスポンジボール７７が固定されている。
図７に示すように、この延長軸部材７１は、ゴルフスウェーチェッカー１のチェック用定規部５１にクリップ７９を介して取り付けるようになっており、取付け位置を変えることで、スポンジボール７７側の突出寸法を短くしたり長くしたり適宜調整できるようになっている。
【００２４】
ゴルフスウェーチェッカー１は、付属品である延長軸部材７１も含めて、図８に示すように、支柱部３の縮小、支持脚２３、２３、２３の縮閉、チェック用定規部５１の縮閉及び回動により、支柱部３側に折り畳んで軸状に短くコンパクト化できるので、袋体８１に入れて携帯することができる。
【００２５】
次に、ゴルフスウェーチェッカー１を使用したチェック方法を説明する。
〈腰のスウェー〉（図９）
プレイヤーが自分のアドレスの右腰の高さに合わせ、チェック用定規部５１を開いて右サイドから定規６９を水平にして右腰をガイドさせる。これで、スイングしたときに、右腰が右に流れれば当たるので、スウェーをチェックできる。
左サイドからも同じように、ゴルフスウェーチェッカー１をセットして左腰側に壁を作る。この場合には、インパクトからフォロースルーで、左腰が左に流れれば当たるので、スウェーをチェックできる。
【００２６】
〈膝のスウェー：１〉（図１０）
プレイヤーが自分のアドレスの右膝の高さに合わせ、右サイドから定規６９を水平にして右膝をガイドさせる。これで、スイングしたときに、右膝が右に流れれば当たるので、スウェーをチェックできる。
左サイドからも同じように、ゴルフスウェーチェッカー１をセットして左膝側に壁を作ることで、腰でのスウェーチェックと同様にチェックできる。
【００２７】
〈膝のスウェー：２〉（図１１）
図１０にセットしたゴルフスウェーチェッカー１を、後側から右膝に当てる。これで、バックスイングで右膝が伸び上がると動くので、右膝の伸び上がりをチェックできる。
左膝の後側にも当てる。これで、バックスイングやフォロースローで左膝が伸び上がると動くので、同様にチェックできる。
【００２８】
〈頭の揺れ〉（図１２）
チェック用定規部５１を閉じて、図７に示すように延長軸部材７１を取り付ける。これで、スポンジボール７７を接触部位として、図１２（Ａ）、（Ｂ）に示す方向から、自分の額に軽く当てる。これで、バックスイングからフォロースローにかけて、頭が揺れるとスポンジボール７７が振れるので、頭の振れをチェックできる。
【００２９】
〈スイングプレーン〉（図１３）
チェック用定規部５１を閉じて、上記と同様に延長軸部材７１を取り付ける。そして、軸部材５３と延長軸部材７１を自分のシャフトプレーンの角度に合わせて、図に示すように右利きなら右サイドに、左利きなら左サイドにセットする。これで、バックスイングにおけるシャフトが軸部材５３に乗るようにすれば、オンプレーンバックになっているので、スイングプレーをチェックできる。
【００３０】
〈アドレスのライン〉（図１４）
チェック用定規部５１を閉じて、上記と同様に延長軸部材７１を取り付ける。そして、図１４（Ａ）、（Ｂ）に示す方向で、軸部材５３と延長軸部材７１を水平にセットする。そして支柱部３の高さを、自分のアドレスのライン（膝、腿、腰、胸、肩）に調整し、飛球方向に平行にアドレスできているかをチェックできる。
【００３１】
〈ダウンスイングでの手元の浮き上がり〉（図１５）
チェック用定規部５１を閉じて、延長軸部材７１を取り付ける。そして、スポンジボール７７がアドレスの両手グリップの少し上にくるようにセットする。これで、ダウンスイングからインパクトにかけて、両手グリップがスポンジボール７７に当たるかで、手元の浮き上がりをチェックできる。
【００３２】
〈パッティングでの体の揺れ〉（図１６〉
チェック用定規部５１を閉じて、上記と同様に延長軸部材７１を取り付ける。そして、図１６（Ａ）に示すように、延長軸部材７１が顔正面から延びて、スポンジボール７７が額に軽く触れるようにセットする。これで、頭が揺れると、スポンジボール７７が摺れるので、チェックできる。
また、図１６（Ｂ）に示すように、延長軸部材７１が後側から延びて、スポンジボール７７が腰中央に後ろから軽く触れるようにセットする。これで、腰が揺れると、同様にチェックできる。
【００３３】
〈スイング全体〉（図１７）
支柱部３を立たせ、車載用のクリップＫを利用して、スマートフォンＳを支柱部３やチェック用定規部５１に取り付ければ、好きな高さや角度から、自分のスイングをスマートフォンＳで撮影して、スイング全体をチェックできる。
【００３４】
上記のチェックは代表的なものであり、この他にも、前方にくる足の前にゴルフスウェーチェッカー１をセットして、突出しをチェックしたり、アームの下にゴルフスウェーチェッカー１をセットして、手首が適切な角度に維持されて適切な位置でインパクトできたかをチェックしたり等、様々なチェックに利用することができる。
【００３５】
以上、本発明の実施の形態について詳述してきたが、具体的構成は、この実施の形態に限られるものではなく、本発明の要旨を逸脱しない範囲における設計の変更などがあっても発明に含まれる。
【符号の説明】
【００３６】
１…ゴルフスウェーチェッカー
３…支柱部      ５、７、９…パイプ      １１…締付け部
１３…押圧部      １５…ボルト      １７…摺動式枢着部
１９…締付けボルト      ２１…固定式枢着部      ２３…支持脚
２５…受け側リンク部材      ２７…ホルダー部      ２９…貫通穴
３１…歯面      ３３…支持部      ３５、３７…挿通穴
３９…調整ボルト      ４１…ネジ軸部      ４３…歯面
４５…調整ナット      ４７…凹凸部      ４９…座金
５１…チェック用定規部      ５３…軸部材      ５５…ピン側リンク部材
５７…摺動ピン      ５９…長孔側リンク部材      ６１…長孔
６３…屈曲部      ６５…直線部      ６７…傾斜部      ６９…定規
７１…延長軸部材      ７３…細棒      ７５…軟質パイプ
７７…スポンジボール      ７９…クリップ      ８１…袋体
Ｓ…スマートフォン    Ｋ…クリップ
【図１】
2014236940.tif 000003
【図２】
2014236940.tif 000004
【図３】
2014236940.tif 000005
【図４】
2014236940.tif 000006
【図５】
2014236940.tif 000007
【図６】
2014236940.tif 000008
【図７】
2014236940.tif 000009
【図８】
2014236940.tif 000010
【図９】
2014236940.tif 000011
【図１０】
2014236940.tif 000012
【図１１】
2014236940.tif 000013
【図１２】
2014236940.tif 000014
【図１３】
2014236940.tif 000015
【図１４】
2014236940.tif 000016
【図１５】
2014236940.tif 000017
【図１６】
2014236940.tif 000018
【図１７】
2014236940.tif 000019